(57)【要約】【課題】本発明はクロストークの低減や特性インピーダンスの改善を図ることができ、かつ、スキュー（伝搬遅延時間差）の改善も可能なコネクタ１０の提供。【解決手段】本目的は接続対象物６０と接触する接触部１４１、１６１と接続物７０と接続する接続部１４３、１６３とを有する複数の信号コンタクト１４・グランドコンタクト１６と、接続対象物６０・接続物７０を挿入する嵌合口２２・挿入口２６と信号コンタクト１４・グランドコンタクト１６が保持・配列される挿入孔３２を有するハウジング１２とを備えるコネクタ１０において、挿入口２６側に接続物７０を挟み込むように並行に配置される２枚の遮蔽板１８を有し、グランドコンタクト１６若しくはハウジング１２に遮蔽板１８の保持手段を設け、グランドコンタクト１６には遮蔽板１８との接触する接点３８を有し、グランドコンタクト１６間に所要数の信号コンタクト１４を配置することにより達成。【選択図】  図２
2006331711.tif 000002
【特許請求の範囲】
【請求項１】
接続対象物と接触する接触部と接続物と接続する接続部とハウジングに固定される固定部とを有する複数の信号コンタクトと、接続対象物と接触する接触部を有する接触片と接続物と接続する接続部とハウジングに固定される固定部とを有する複数のグランドコンタクトと、奥行き両側に接続対象物及び接続物が挿入される嵌合口及び挿入口と信号コンタクト及びグランドコンタクトが保持・配列される挿入孔を有するハウジングとを備えるコネクタにおいて、
前記挿入口側に前記接続物を挟み込むように並行に配置される２枚の遮蔽板を有し、前記グランドコンタクト若しくは前記ハウジングに前記遮蔽板の保持手段を設け、前記グランドコンタクトには前記遮蔽板との接触する接点を有し、前記グランドコンタクト間に所要数の前記信号コンタクトを配置することを特徴とするコネクタ。
【請求項２】
前記保持手段として前記グランドコンタクトの接続片と略並行に狭持片を設け、前記遮蔽板を前記グランドコンタクトの接続片と狭持片とで狭持し、前記接続片の接点と前記遮蔽板とが接触するようにすることを特徴とする請求項１記載のコネクタ。
【請求項３】
前記保持手段として前記ハウジングの長手方向両側にスリット溝を設け、該スリット溝に前記遮蔽板を差込み、前記接続片の接点と前記遮蔽板とが接触するようにすることを特徴とする請求項１記載のコネクタ。
【請求項４】
前記狭持片の先端に凸部を設けることを特徴とする請求項２記載のコネクタ。
【請求項５】
前記グランドコンタクトに突出片を設け、前記ハウジングに前記突出片が入るスリットを設け、前記突出片を前記スリットに係合させることで前記グランドコンタクト同士を略並行に配置することを特徴とする請求項１又は２、３、４記載のコネクタ。
【請求項６】
前記グランドコンタクト間に、２本の信号コンタクトを配置することを特徴とする請求項１〜５項のうちいずれか１項記載のコネクタ。
【発明の詳細な説明】
【技術分野】
【０００１】
本発明は、サーバやスーパーコンピュータ等の電子・電気機器に使用されるコネクタに関するもので、特にクロストークの低減や特性インピーダンスの改善を図ったものである。
【背景技術】
【０００２】
現在では電子・電気機器の小型化に伴いコネクタにも小型化の要求が強くなってきており、コネクタ（図示せず）は電気絶縁体の材料で形成されたハウジングと導電性の材料で形成されたコンタクトとを備えていることが多い。該コンタクトは相手物と接触する接触部と前記ハウジングに固定される固定部と基板やケーブルに接続される接続部とを備えており、また、前記コンタクトは前記絶縁体に圧入や引っ掛け（ランス）等によって固定されている。
コネクタの小型化が進む中、例えば、下記に示す特許文献１のようにストリップライン構造で所定のインピーダンス特性が得られるコネクタや特許文献２のように隣接する信号コンタクト間のクロストークノイズを抑制して信号伝送特性の向上を図るコネクタなどがある。
【特許文献１】特開平９−１９９２３１号の要約によると、ストリップライン構造のコネクタに関し、小形で、且つ所定のインピーダンス特性を得られるコネクタを提供することを目的とし、ハウジングの中央部を貫通するグランドコンタクト板と、グランドコンタクト板を挟んでハウジングを貫通して２列に配列した信号コンタクトピンと、ハウジングの外周面を覆うグランドシェルとを備えたコネクタにおいて、グランドコンタクト板に交差するグランドシェルの側面部分にシェル舌片を設け、シェル舌片を折り曲げてシェル舌片の先端部をグランドコンタクト板に設けたスリットに嵌入しグランドシェルとグランドコンタクト板とを導通可能に接続した構成のコネクタが開示されている。  ちなみに、特許請求の範囲には、請求項１として、ハウジングの中央部を貫通するグランドコンタクト板と、該グランドコンタクト板を挟んで該ハウジングを貫通して２列に配列した信号コンタクトピンと、該ハウジングの外周面を覆うグランドシェルとを備えたストリップライン構造のコネクタにおいて、該グランドコンタクト板に交差するグランドシェルの側面部分にシェル舌片を設け、該シェル舌片を折り曲げて該シェル舌片の先端部を該グランドコンタクト板の端面に設けたスリットに嵌入し、該グランドシェルと該グランドコンタクト板とを導通可能に接続してなることを特徴とするコネクタ。請求項２として、前記ハウジングにガイド溝を設け、該ガイド溝を案内にして前記シェル舌片の先端部を前記グランドコンタクト板のスリットに挿入するようにしたことを特徴とする請求項１記載のコネクタ。請求項３として、前記シェル舌片の折曲部近傍に幅広部を設け、該幅広部の肩端面を押圧して該シェル舌片の先端部を前記グランドコンタクト板のスリットに嵌入するようにしたことを特徴とする請求項１又は２記載のコネクタ。請求項４として、ハウジングの中央部を貫通するグランドコンタクト板と、該グランドコンタクト板を挟んで該ハウジングを貫通して２列に配列した信号コンタクトピンと、該ハウジングの外周面を覆うグランドシェルとを備えたストリップライン構造のコネクタにおいて、該グランドコンタクト板に交差するグランドシェルの側面部分に設けたスリットと、該グランドコンタクト板に交差する該ハウジングの側面から突出するように、該グランドコンタクト板の端面に設けた接合板部とを有し、該接合板部を該スリットに嵌入して、該グランドシェルと該グランドコンタクト板とを導通可能に接続してなることを特徴とするコネクタ等が開示されている。
【特許文献２】特開平１０−３３４９９９号の要約によると、高速伝送用のコネクタに関し、端子列方向で隣接する信号端子間のクロストークノイズを抑制して信号伝送特性の向上を図ることを目的にし、ジャック端子の列が対をなして絶縁体に植設されたジャックコネクタと、プラグ端子が上記ジャック端子と対応するように対をなして絶縁体に植設されたプラグコネクタとからなり、上記ジャックコネクタには、端子列方向で隣接する上記ジャック端子間に接地電位に繋がるジャック接地端子が設けられ、上記プラグコネクタには端子列方向で隣接する上記プラグ端子間に接地電位に繋がり且つ上記ジャックコネクタとプラグコネクタとを接続したときに上記ジャック接地端子に接続するプラグ接地端子を備えて構成するコネクタが開示されている。  ちなみに、特許請求の範囲には、請求項１として、ジャック端子列が対をなして絶縁体に植設されたジャックコネクタと、プラグ端子が上記ジャック端子と対応するように対をなして絶縁体に植設されたプラグコネクタとからなり、上記ジャックコネクタは、端子列方向で隣接する上記ジャック端子間に接地電位に繋がるジャック接地端子を有し、上記プラグコネクタは、端子列方向で隣接する上記プラグ端子間に接地電位に繋がり且つ上記ジャックコネクタとプラグコネクタとを接続したときに上記ジャック接地端子に接続するプラグ接地端子を有していることを特徴とするコネクタ。請求項２として、請求項１記載のジャック接地端子が、対をなす前記ジャック端子の端子列方向への投影領域をカバーする大きさを有し、請求項１記載のプラグ接地端子が、対をなす前記プラグ端子の端子列方向への投影領域をカバーする大きさを有していることを特徴とするコネクタ。請求項３として、請求項１記載のコネクタが、端子配置領域の端子列方向両サイドに、該端子配置領域をカバーする大きさのシールド板を備えていることを特徴とするコネクタ。請求項４として、請求項１記載のプラグコネクタが、ライトアングル型に構成されていることを特徴とするコネクタ。請求項５として、請求項１記載のコネクタにおいて、前記ジャックコネクタとプラグコネクタそれぞれの対をなす端子に、所要の信号に対応する平衡線を接続することを特徴とするコネクタへの配線方法等が開示されている。
【発明の開示】
【発明が解決しようとする課題】
【０００３】
近年、電気・電子機器の小型化が進むにつれ、コネクタの小型化の要求も強くなってきており、コネクタはより一層軽薄短小化が進んできている。また、高速伝送（信号スピードの高速化）に伴い、クロストークの低減や特性インピーダンスの改善やスキュー（伝搬遅延時間差）の改善（向上）が必要不可欠になっている。
特許文献１の構造のものでは、信号コンタクトをグランドコンタクト板とグランドシェルとで覆っているだけなので、所定のインピーダンス特性を得ることは可能であるが、クロストークの低減には繋がらない。
特許文献２の構造のものでは、プラグ端子とジャック端子が対をなすように配置することで、隣接する信号端子間のクロストークノイズを抑制して信号伝送特性の向上を図ったものであるが、スキュー（伝搬遅延時間差）の改善（向上）には繋がらない。
【０００４】
本発明は、このような従来の問題点に鑑みてなされたもので、コネクタの小型化が図れ、クロストークの低減や特性インピーダンスの改善を図ることができ、かつ、スキュー（伝搬遅延時間差）の改善（向上）可能なコネクタを提供せんとするものである。
【課題を解決するための手段】
【０００５】
上記目的は、接続対象物６０と接触する接触部１４１と接続物７０と接続する接続部１４３とハウジング１２に固定される固定部１４２とを有する複数の信号コンタクト１４と、接続対象物６０と接触する接触部１６１を有する接触片３４と接続物７０と接続する接続部１６３とハウジング１２に固定される固定部１６２とを有する複数のグランドコンタクト１６と、奥行き両側に接続対象物６０及び接続物７０が挿入される嵌合口２２及び挿入口２６と信号コンタクト１４及びグランドコンタクト１６が保持・配列される挿入孔３２を有するハウジング１２とを備えるコネクタ１０において、前記挿入口２６側に前記接続物７０を挟み込むように並行に配置される２枚の遮蔽板１８を有し、前記グランドコンタクト１６若しくは前記ハウジング１２に前記遮蔽板１８の保持手段を設け、前記グランドコンタクト１６には前記遮蔽板１８との接触する接点３８を有し、前記グランドコンタクト１６間に所要数の前記信号コンタクト１４を配置することにより達成できる。
【０００６】
前記保持手段として前記グランドコンタクト１６の接続片３６と略並行に狭持片４０を設け、前記遮蔽板１８を前記グランドコンタクト１６の接続片３６と狭持片４０とで狭持し、前記接続片３６の接点３８と前記遮蔽板１８とが接触するようにする。
また、前記保持手段として前記ハウジング１２の長手方向両側にスリット溝２８を設け、該スリット溝２８に前記遮蔽板１８を差込み、前記接続片３６の接点３８と前記遮蔽板１８とが接触するようにする。
前記狭持片４０の先端に凸部４４を設ける。
さらに、前記グランドコンタクト１６に突出片４２を設け、前記ハウジング１２に前記突出片４２が入るスリット３０を設け、前記突出片４２を前記スリット３０に係合させることで前記グランドコンタクト１６同士を略並行に配置する。
前記グランドコンタクト１６間に、２本の信号コンタクト１４を配置する。
【発明の効果】
【０００７】
以上の説明から明らかなように、本発明のコネクタ１０によると、次のような優れた顕著な効果が得られる。
（１）接続対象物６０と接触する接触部１４１と接続物７０と接続する接続部１４３とハウジング１２に固定される固定部１４２とを有する複数の信号コンタクト１４と、接続対象物６０と接触する接触部１６１を有する接触片３４と接続物７０と接続する接続部１６３とハウジング１２に固定される固定部１６２とを有する複数のグランドコンタクト１６と、奥行き両側に接続対象物６０及び接続物７０が挿入される嵌合口２２及び挿入口２６と信号コンタクト１４及びグランドコンタクト１６が保持・配列される挿入孔３２を有するハウジング１２とを備えるコネクタ１０において、前記挿入口２６側に前記接続物７０を挟み込むように並行に配置される２枚の遮蔽板１８を有し、前記グランドコンタクト１６若しくは前記ハウジング１２に前記遮蔽板１８の保持手段を設け、前記グランドコンタクト１６には前記遮蔽板１８との接触する接点３８を有し、前記グランドコンタクト１６間に所要数の前記信号コンタクト１４を配置しているので、コネクタの小型化が図れ、クロストークの低減や特性インピーダンスの改善を図ることができ、かつ、スキュー（伝搬遅延時間差）の改善（向上）も可能である。
（２）前記保持手段として前記グランドコンタクト１６の接続片３６と略並行に狭持片４０を設け、前記遮蔽板１８を前記グランドコンタクト１６の接続片３６と狭持片４０とで狭持し、前記接続片３６の接点３８と前記遮蔽板１８とが接触するようにしているので、簡単に前記遮蔽板１８を保持することができると同時に前記グランドコンタクト１６と前記遮蔽板１８との導通（グランドを取る）をとることができ、クロストークの低減や特性インピーダンスの改善に繋がる。
（３）前記保持手段として前記ハウジング１２の長手方向両側にスリット溝２８を設け、該スリット溝２８に前記遮蔽板１８を差込み、前記接続片３６の接点３８と前記遮蔽板１８とが接触するようにしているので、簡単に前記遮蔽板１８を保持することができると同時に前記グランドコンタクト１６と前記遮蔽板１８との導通（グランドを取る）をとることができ、クロストークの低減や特性インピーダンスの改善に繋がる。
（４）前記狭持片４０の先端に凸部４４を設けているので、容易に前記遮蔽板１８を前記グランドコンタクト１６の接続片３６と狭持片４０とで狭持できる。
（５）前記グランドコンタクト１６に突出片４２を設け、前記ハウジング１２に前記突出片４２が入るスリット３０を設け、前記突出片４２を前記スリット３０に係合させることで前記グランドコンタクト１６同士を略並行に配置しているので、前記グランドコンタクト１６と前記遮蔽板１８との安定した導通を得ることができ、クロストークの低減や特性インピーダンスの改善に繋がる。
（６）前記グランドコンタクト１６間に、２本の信号コンタクト１４を配置しているので、クロストークの低減や特性インピーダンスの改善に繋がる。
【発明を実施するための最良の形態】
【０００８】
図１から図３に基づいて、本発明のコネクタ１０の一実施例について説明する。
図１（Ａ）は本発明のコネクタを嵌合側からみた斜視図であり、（Ｂ）は本発明のコネクタを接続部側からみた斜視図である。図２（Ａ）は本発明のコネクタを信号コンタクト部分で断面した断面図であり、（Ｂ）は本発明のコネクタをグランドコンタクト部分で断面した断面図である。図３（Ａ）は信号コンタクトの斜視図であり、（Ｂ）はグランドコンタクトの斜視図である。
一実施例の本発明のコネクタ１０は、主にハウジング１２と信号コンタクト１４とグランドコンタクト１６と遮蔽板１８とシェル１９を備えている。
【０００９】
本発明のコネクタ１０を説明する前に、コネクタ１０の嵌合口２２及び挿入口２６に入る接続対象物６０と接続物７０について説明する。
前記接続対象物６０には、ハード基板やフレキシブルプリント基板（以下ＦＰＣという）や相手コネクタのコンタクトなどが挙げられる。
前記接続物７０には、ハード基板やＦＰＣなどが挙げられる。
【００１０】
まず、本発明のポイント部分であるグランドコンタクト１６について説明する。
前記グランドコンタクト１６は金属製であり、公知技術のプレス加工によって製作され、その材質としてはバネ性や導電性が要求されるので、黄銅やベリリウム銅やリン青銅等を挙げることができる。
前記グランドコンタクト１６は本体部３３と該本体部３３より嵌合口２２方向に突出した略並行に対向するように配置された２つの接触片３４と前記本体部３３より挿入口２６方向に突出した略並行に対向するように配置された２つの接続片３６と該接続片３６に対向するように外側に配置された２つの狭持片４０を備えている。
【００１１】
前記本体部３３には前記ハウジング１２に固定される固定部１６２が設けられ、前記接触片３４の先端には前記接続対象物６０と接触する接触部１６１が設けられ、前記接続片３６には前記接続物７０と接続する接続部１６３が設けられている。  
前記接続対象物６０又は前記接続物７０との接触又は接続は、前記グランドコンタクト１６の対向した配置された接触部１６１、１６１間又は接続部１６３、１６３間で前記接続対象物６０又は前記接続物７０を挟み込む構造にしている。前記接触部１６１間又は前記接続部１６３間の距離は、接触又は接続する前記接続対象物６０又は前記接続物７０の厚さに応じて適宜設計している。前記接触部１６１と前記接続部１６３の形状は、前記接続対象物６０又は前記接続物７０に接触又は接続し易いように湾曲やＲ形状に突出させている。
前記遮蔽板１８の保持手段としては、前記接続片３６と前記狭持片４０とで狭持する構造にすることで保持している。そのため、前記接続片３６と前記狭持片４０との間の寸法は前記遮蔽板１８の厚さを考慮して適宜設計している。
【００１２】
前記狭持片４０の先端には凸部４４が設けられ、前記接続片３６の中間付近には前記遮蔽板１８と接触する接点３８が設けられている。前記接点３８は前記遮蔽板１８と接触できればよく、前記狭持片４０側に設けてもよい。前記遮蔽板４０の狭持性や前記グランドコンタクト１６と前記遮蔽板１８との接触安定性を考えると、好ましくは本実施例のように前記接続片４０側に設けることが望ましい。前記凸部４４又は前記接点３８の大きさは、前記遮蔽板４０の狭持性や前記グランドコンタクト１６と前記遮蔽板１８との接触安定性や狭持の際のバランス等を考慮して適宜設計する。
また、前記グランドコンタクト１６には、前記接触片３４や前記接続片３６と直交する方向に前記本体部３３より突出した突出片４２が設けられている。該突出片４２を前記ハウジング１２のスリット３０に係合させることで、前記グランドコンタクト１６を略並行に配置するような構造にしている。前記突出片４２の大きさは、前記ハウジング１２のスリット３０に入ればよく、上記役割を考慮して適宜設計している。
【００１３】
次に、本発明のポイント部分である遮蔽板１８について説明する。この遮蔽板１８は金属製であり、公知技術のプレス加工によって製作されている。前記遮蔽板１８の材質としては、バネ性や導電性などが要求されるので、黄銅やベリリウム銅やリン青銅等を挙げることができる。
前記遮蔽板１８は、前記接続物７０を挟み込むように前記ハウジング１２の挿入口２６側に略並行に２枚配置されている。前記遮蔽板１８の大きさはクロストークの低減や特性インピーダンスの改善やスキュー（伝搬遅延時間差）の改善（向上）などを考慮して適宜設計する。前記遮蔽板１８を配置する位置は、クロストークの低減や特性インピーダンスの改善やスキュー（伝搬遅延時間差）の改善（向上）などを考慮して適宜設計する。
前記遮蔽板１８は、前記グランドコンタクト１６の接続片３６と狭持片４０とで狭持することで保持されている。
【００１４】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１５】
前記ハウジング１２は少なくとも嵌合部２０と挿入部２４を備えている。前記嵌合部２０には前記接続対象物６０が嵌合される嵌合口２２が設けられており、前記挿入部２４には前記接続物７０が挿入される挿入口２６が設けられている。
前記嵌合口２２及び前記挿入口２６の大きさは前記接続対象物６０及び前記接続物７０の大きさや接続性を考慮して適宜設計する。
【００１６】
前記ハウジング１２には、複数の前記信号コンタクト１４と前記グランドコンタクト１６が保持・配列される挿入孔３２が前記嵌合部２０と前記挿入部２４に連通して設けられている。
また、前記ハウジング１２には前記グランドコンタクト１６が配置される位置に対応するように、前記グランドコンタクト１６の突出片４２が入る大きさのスリット３０が設けられている。
なお、前記ハウジング１２には、長手方向両側に基板等の接続物７０をガイドするためのガイド溝３１が設けられている。このガイド溝３１は前記信号コンタクト１４に前記接続物７０が接続する前にガイドするためのものであり、前記ガイド溝３１の大きさ（幅）はこのような役割を考慮して適宜設計している。本実施例では接続物７０より０．０３〜０．０５ｍｍ大きくしている。また、接続物７０を保持するために、リブ（突起）を設けて、圧入により保持している。本実施例ではガイド溝３１の幅でガイドをしているが、例えば、ガイド溝３１は接続物７０をかなり大きくし、ガイド溝内に上記役割を果たすピン等を配置し、接続物７０に溝を設ける方法もある。
【００１７】
次に、信号コンタクト１４について説明する。この信号コンタクト１４は金属製であり、公知技術のプレス加工によって製作されている。前記信号コンタクト１４の材質としては、バネ性や導電性や寸法安定性などが要求されるので、黄銅やベリリウム銅やリン青銅等を挙げることができる。
前記信号コンタクト１４は前記ハウジング１２の挿入孔３２に圧入によって挿入口２６側より挿入されて固定される。前記信号コンタクト１４は図３（Ａ）のように略板状をしており、一端側に前記接続対象物６０と接触する接触部１４１ともう一端側に前記接続物７０と接続する接続部１４３と前記接触部１４１と前記接続部１４３との間に前記ハウジング１２に固定する固定部１４２とを備えている。
前記信号コンタクト１４を前記グランドコンタクト１６間に所要数本配置することで、特性インピーダンスの改善やクロストークの低減を図っているが、本実施例では前記信号コンタクト１４は前記グランドコンタクト１６間に２本配置している。
【００１８】
最後に、シェル１９について説明する。このシェル１９は金属製であり、公知技術のプレス加工によって製作されている。前記シェル１９の材質としては、加工性や寸法安定性などが要求されるので、鋼やベリリウム銅やリン青銅等を挙げることができる。
前記シェル１９は前記ハウジング１２の嵌合部２０を覆うように配置することで、ＥＳＤ対策を施したものである。前記シェル１９はＥＳＤ対策や前記ハウジング１２の嵌合部２０の形状等を考慮して適宜設計する。前記シェル１９は、前記ハウジング１２に引っ掛けによって保持されている。
【００１９】
図４に基づいて、別の実施例について説明する。図４は遮蔽板の別の保持手段を説明する接続部側からみた別のコネクタの斜視図である。
以下では、上述したコネクタ１０との相違部分についてのみ説明する。相違するのは、前記遮蔽板１８の保持手段であり、構成が相違するのは前記ハウジング１２と前記グランドコンタクト１６である。
まず、前記グランドコンタクト１６の相違点について説明すると、前記狭持片４０がない。即ち、前記本体部３３より挿入口２６方向に突出しているのは２つの接続片３６だけである。
【００２０】
次に、前記ハウジング１２の相違点について説明する。前記ハウジング１２には長手方向両側に前記遮蔽板４０が入るスリット溝２８が設けられている。図４のように、前記遮蔽板４０を前記ハウジング１２のスリット溝２８に差し込むことで、前記遮蔽板１８を保持している。前記スリット溝２８の大きさは、前記遮蔽板１８の保持性や前記グランドコンタクト１６と前記遮蔽板１８との接触安定性を考慮して適宜設計している。本実施例では前記遮蔽板１８は前記スリット溝２８内にボスを設けて、圧入によって固定している。前記スリット溝２８の厚さ方向の位置は、前記遮蔽板１８の保持性や前記グランドコンタクト１６と前記遮蔽板１８との接触安定性を考慮して適宜設計している。
【産業上の利用可能性】
【００２１】
本発明の活用例としては、サーバやスーパーコンピュータ等の電子・電気機器に使用されるコネクタに活用され、特にクロストークの低減や特性インピダンスの改善やスキュー（伝搬遅延時間差）の改善（向上）を図ったものである。
【図面の簡単な説明】
【００２２】
【図１】（Ａ）  本発明のコネクタを嵌合側からみた斜視図である。（Ｂ）  本発明のコネクタを接続部側からみた斜視図である。
【図２】（Ａ）  本発明のコネクタを信号コンタクト部分で断面した断面図である。（Ｂ）  本発明のコネクタをグランドコンタクト部分で断面した断面図である。
【図３】（Ａ）  信号コンタクトの斜視図である。（Ｂ）  グランドコンタクトの斜視図である。
【図４】遮蔽板の別の保持手段を説明する接続部側からみた別のコネクタの斜視図である。
【符号の説明】
【００２３】
１０、１０１      コネクタ
１２              ハウジング
１４              信号コンタクト
１６              グランドコンタクト
１８              遮蔽板
１９              シェル
１４１、１６１    接触部
１４２、１６２    固定部
１４３、１６３    接続部
２０              嵌合部
２２              嵌合口
２４              挿入部
２６              挿入口
２８              スリット溝
３０              スリット
３１              ガイド溝
３２              挿入孔
３３              本体部
３４              接触片
３６              接続片
３８              接点
４０              狭持片
４２              突出片
４４              凸部
６０              接続対象物
７０              接続物
【図１】
2006331711.tif 000003
【図２】
2006331711.tif 000004
【図３】
2006331711.tif 000005
【図４】
2006331711.tif 000006